(57)【特許請求の範囲】
【請求項１】
遠隔端末から第１制御信号を受信して、指定領域に向くカメラを起動するステップと、
前記遠隔端末に前記指定領域の映像情報を送信するステップと、
前記遠隔端末から第２制御信号を受信して、自動車の予め設定された領域を開くステップと、
前記遠隔端末から第３制御信号を受信して、前記予め設定された領域を閉じて施錠するステップと、
を有し、
前記遠隔端末から前記第１制御信号を受信するステップの前に、前記自動車に光を点滅させる、および／または、前記自動車に音を出力させるための音響光学制御信号を前記遠隔端末から受信するステップを有する、
車上配達受取方法。
【請求項２】
請求項１に記載の受取方法であって、
前記遠隔端末から前記音響光学制御信号を受信するステップの前に、前記遠隔端末に自動車のGPS位置情報を送信するステップを有する、
受取方法。
【請求項３】
請求項１に記載の受取方法であって、
配達人の位置の情報に応じて自動的に前記カメラを起動するステップと、
外部からの閉じる操作によって前記予め設定された領域を閉じて施錠するステップと、
を有する、
受取方法。
【請求項４】
請求項１，２又は３に記載の受取方法であって、
前記カメラは、
配達人を識別するために使用される第１カメラと、
前記予め設定された領域に配置され、商品を識別するために使用される第２カメラと、
を有する、
受取方法。
【請求項５】
ワイヤレスネットワークを通じて遠隔端末と通信するネットワーク通信モジュールと、
前記遠隔端末からの第１制御信号に応じて起動され、指定領域の映像情報を出力し、当該映像情報を前記遠隔端末に送信するよう構成されたカメラと、
前記遠隔端末からの第２制御信号に応じて自動車の予め設定された領域を開き、前記遠隔端末からの第３制御信号に応じて前記予め設定された領域を閉じて施錠するよう構成された車両制御装置と、
を備え、
前記車両制御装置は、さらに、前記遠隔端末からの前記第１制御信号によって前記カメラが起動される前に、前記遠隔端末からの音響光学制御信号によって、前記自動車に光を点滅させる、および／または、前記自動車に音を出力させる、
車上配達受取装置。
【請求項６】
請求項５に記載の受取装置であって、
前記カメラは、
配達人を識別するために使用される第１カメラと、
前記予め設定された領域に配置され、商品を識別するために使用される第２カメラと、
を備える、
受取装置。
【請求項７】
請求項５に記載の受取装置であって、
前記予め設定された領域は、前記自動車のトランクである、
受取装置。
【請求項８】
請求項５に記載の受取装置であって、
前記自動車のトランクは、前記自動車の室内に近接した第１領域と、前記自動車の後部に近接した第２領域と、を有し、
前記第１領域と前記第２領域とは、互いに分離しており、前記予め設定された領域は前記第２領域である、
受取装置。
【請求項９】
遠隔端末から第１制御信号を受信し、指定領域に向くカメラを起動するよう構成された映像起動モジュールと、
前記遠隔端末に前記指定領域の映像情報を送信するよう構成された映像送信モジュールと、
前記遠隔端末から第２制御信号を受信して、自動車の予め設定された領域を開くよう構成された領域オープンモジュールと、
前記遠隔端末から第３制御信号を受信して、前記予め設定された領域を閉じて施錠するよう構成された領域ロックモジュールと、
前記遠隔端末から前記第１制御信号が受信される前に、前記自動車に光を点滅させる、および／または、前記自動車に音を出力させるための音響光学制御信号を前記遠隔端末から受信する音響光学指示モジュールと、
を備えた、
車上配達受取システム。
【発明の詳細な説明】
【技術分野】
【０００１】
本発明は、配達分野にかかり、特に、配達人と指定車両との間で配達される品物を受け渡すために利用される車上配達受取方法、システム、装置に関する。
【背景技術】
【０００２】
現在、オンラインでの買い物は人々の消費習慣となっている。また、そこから生じる速達便産業は、さらにますます普及している。オンラインで注文された品物は、通常、配達人によって直接、受取人のアドレスへ配送され、両者が対面して手渡される。これにより、受取人は、その場で品物を確認することができ、問題が無いか議論を容易に行うことができる。
【０００３】
しかしながら、ときには、受取人が受け取り場所にいないか、秘匿状態である場合には、配達人は受取人と対面して品物を配達することができない。したがって、品物の配達が延期されたり、品物が受取人ではない他人によってサインされ受け取られてしまうこともある。このため、結果として、例えば、品物の最終的な配達時刻が返品や交換の期限を超過したり、他人によって受け取られることで品物をチェックできず不良品が受け取られるなどの問題が起こりうる。
【０００４】
さらに、配達先として受取人によって示されたアドレスが受取人の住宅である場合、いくつか安全上の問題点が起こりうる。配達人は、受取人の住宅の内部情報を容易に得ることができるため、品物を受け取る住宅にお年寄りや子供だけがいる場合には、住宅の欠点が未知の配達人にさらけ出される。それによって、品物の配達という名目で、例えば、窃盗、強盗および他の事件といった安全上の問題点が起こうる。
【発明の概要】
【発明が解決しようとする課題】
【０００５】
本発明の目的は、自動車による配達商品の受け渡し方法を提供することにある。さらに、本発明の目的は、受取人が配達商品の引き渡しプロセスを取得することができる車上配達受取装置を提供することにある。
【課題を解決するための手段】
【０００６】
具体的に、本発明における車上配達受取方法は、
遠隔端末から第１制御信号を受信して、指定領域に向くカメラを起動するステップと、
前記遠隔端末に前記指定領域の映像情報を送信するステップと、
前記遠隔端末から第２制御信号を受信して、自動車の予め設定された領域を開くステップと、
前記遠隔端末から第３制御信号を受信して、前記予め設定された領域を閉じて施錠するステップと、
を有する。
【０００７】
また、本発明の受取方法は、さらに、
前記遠隔端末から前記第１信号を受信するステップの前に、前記自動車に光を点滅させる、および／または、前記自動車に音を出力させるための音響光学制御信号を前記遠隔端末から受信するステップを有する。
【０００８】
また、本発明の受取方法は、さらに、
前記遠隔端末から前記音響光学制御信号を受信するステップの前に、前記遠隔端末に自動車のGPS位置情報を送信するステップを有する。
【０００９】
また、本発明の受取方法は、さらに、
配達人の位置の情報に応じて自動的に前記カメラを起動するステップと、
外部からの閉じる操作によって前記予め設定された領域を閉じて施錠するステップと、
を有する。
【００１０】
また、前記カメラは、
前記配達人を識別するために使用される第１カメラと、
前記予め設定された領域に配置され、商品を識別するために使用される第２カメラと、
を有する。
【００１１】
また、本発明における車上配達受取装置は、
ワイヤレスネットワークを通じて遠隔端末と通信するネットワーク通信モジュールと、
前記遠隔端末からの第１制御信号に応じて起動され、指定領域の映像情報を出力し、当該映像情報を前記遠隔端末に送信するよう構成されたカメラと、
前記遠隔端末からの第２制御信号に応じて自動車の予め設定された領域を開き、前記遠隔端末からの第３制御信号に応じて前記予め設定された領域を閉じて施錠するよう構成された車両制御装置と、
を備える。
【００１２】
また、前記カメラは、
前記配達人を識別するために使用される第１カメラと、
前記予め設定された領域に配置され、商品を識別するために使用される第２カメラと、
を備える。
【００１３】
また、前記予め設定された領域は、前記自動車のトランクである。
【００１４】
また、前記自動車のトランクは、前記自動車の室内に近接した第１領域と、前記自動車の後部に近接した第２領域と、を有し、
前記第１領域と前記第２領域とは、互いに分離しており、前記予め設定された領域は前記第２領域である。
【００１５】
また、本発明における車上配達受取システムは、
遠隔端末から第１制御信号を受信し、指定領域に向くカメラを起動するよう構成された映像起動モジュールと、
前記遠隔端末に前記指定領域の映像情報を送信するよう構成された映像送信モジュールと、
前記遠隔端末から第２制御信号を受信して、自動車の予め設定された領域を開くよう構成された領域オープンモジュールと、
前記遠隔端末から第３制御信号を受信して、前記予め設定された領域を閉じて施錠するよう構成された領域ロックモジュールと、
を備える。
【００１６】
本発明の車上配達受取方法によると、自動車が配達人によって運ばれる品物を受け入れるために受取場所として使用されるため、配達人が品物を運ぶために直接家に入るときに生じる不安要素が回避される。また、受取人が受取アドレスにいないため、品物が受け入れられないという状況も回避される。
【００１７】
さらに、本発明の車上配達受取装置によると、受取人が配達品物を受け入れる場所にいないときであっても、品物が受け取られ、また、受取人は、品物を受け取るプロセス全体を監視することができる。
【００１８】
以下の本発明の具体的な実施形態の詳細な説明と添付の図面により、本発明の上記およびその他の目的、効果、および特徴は、当業者により良く理解されるであろう。
【図面の簡単な説明】
【００１９】
以下、本発明のいくつかの実施形態について、図面を参照して詳細に説明する。これらは一例であり、本発明はこれに限定されない。図面中において同一の符号は、同一または類似の部品または部分を示す。これらの添付図面が必ずしも正確な縮尺率でないことは、当業者には理解される。
【図１】本発明の一実施形態における車上配達受取方法を示す概略フローチャートである。
【図２】本発明の一実施形態における車上配達受取装置を示す概略構造図である。
【図３】本発明の一実施形態における車上配達受取システムを示す概略構造図である。
【発明を実施するための形態】
【００２０】
図１は、本発明の実施形態における車上配達受取方法の概略フローチャートである。本発明の方法によれば、配達人によって運ばれた品物は、受取人の自動車あるいは受取人が使用する権利がある自動車によって受け取られる。図１に示されるように、本発明の方法は、通常、以下のステップを含んでいる。
【００２１】
ステップ１００：遠隔端末から第１制御信号を受け取り、指定領域に向いているカメラを起動する。
遠隔端末は、特定の機能を使用できるよう受取人によって許可された、受取人の携帯電話、あるいは、配達人の携帯電話である。指定領域は、自動車の所定方向に沿って延びる領域あるいは自動車内の所定領域であり、さらに、自動車の所定方向および自動車内の所定領域も意味している。
【００２２】
このステップでは、受取人の携帯電話は、配送先の指定された自動車の位置に配達人が到着したことを示す情報を受け取った後、カメラを起動させる信号を自動車に送信する。カメラは起動後に、自動車の周囲をスキャンして、自動車の周囲の情報を記録する。
【００２３】
特に、指定の自動車を見つけるために、自動車は自身のGPS位置情報を遠隔端末に送信する。ここで遠隔端末は、受取人によって制御される携帯電話であり、受取人の携帯電話は、GPS位置情報を用いて、配達人の携帯電話に自動車の位置を示す詳細情報を送信する。
【００２４】
あるいは、自動車は、配達人の携帯電話にGPS位置情報を直接送信してもよい。または、配達人の携帯電話は、受取人の携帯電話の許可を受けてGPS位置情報を直接取得してもよく、それによって、配達人自身が自動車を見つけることを可能にする。
【００２５】
さらに、自動車の位置を示すために、自動車に光を点滅させる、および／または、音を出力させるよう、自動車は遠隔端末から音響光学制御信号を受け取ってもよい。ここで遠隔端末は、受取人によって制御される携帯電話であってもよく、あるいは、配達人によって制御される携帯電話であってもよい。遠隔端末は、配達人が品物をより速く渡すべく指定の自動車を見つけられるように、自動車の特定のランプを点滅させるよう、および／または、自動車のクラクションを鳴らすよう、制御する。
【００２６】
ステップ２００：遠隔端末に指定領域の映像情報を送信する。
遠隔端末は、受取人によって制御された携帯電話であってもよい。指定領域は自動車の所定方向に沿って延びる領域であってもよい。映像情報は、所定時間内の所定方向に沿って記録されたすべての情報に及んでもよく、当該情報は、影響する物体が出現したかどうかを示す所定の情報を含んでいるべきである。
【００２７】
このステップでは、カメラは、自動車の周囲の状況を記録し、同時に、受取人の携帯電話に映像情報を送信する。遠隔端末は、常に映像情報から自動車の周囲の変化を認識する。
【００２８】
ステップ３００：遠隔端末から第２制御信号を受け取り、自動車の予め設定された領域を開く。
遠隔端末は、受取人によって制御された携帯電話であってもよい。予め設定された領域は、例えば、自動車のトランク、自動車の座席領域、あるいは、自動車に設定された特定領域といった、自動車内の特定領域であり、品物を受け取るための領域である。予め設定された領域は、品物を置くために使用される。
【００２９】
このステップでは、カメラからの映像情報によって影響される物体が予め設定された必要条件に一致することが判明したとき、遠隔端末は、自動車で品物を受け取るための予め設定された領域を開く信号を自動車に送信する。そして、予め設定された領域は、外部と連通する場所として供給される。
【００３０】
特に、カメラは、指定領域内の物体を識別するために使用される第１カメラと、予め設定された領域内に配置され、品物を識別するために使用される第２カメラと、を含んでいる。第１カメラは、より広い視界を有する自動車の位置に配置される。例えば、第１カメラは、自動車のリヤウインドウに配置され、時間内に影響される物体を見つけるために自動車の後方を向いている。
【００３１】
第２カメラは、予め設定された領域内の変化プロセスを記録するために、予め設定された領域内に組み込まれている。これにより、遠隔端末は、リアルタイムで予め設定された領域内のどんな変化も認識することができ、かかる変化が意図された目的に一致する変化かどうかを確認することができる。第２カメラは、予め設定された領域が開くことで起動され、予め設定された領域の施錠で作動を停止する。
【００３２】
ステップ４００：遠隔端末から第３制御信号を受け取り、予め設定された領域を閉じて施錠する。
ここでの遠隔端末は、受取人によって制御された携帯電話である。また、予め設定された領域は、自動車の外部に連通する領域であり、品物を置く領域である。
【００３３】
このステップでは、遠隔端末は、カメラの映像情報によって、予め設定された領域内の変化が意図した目的に一致していることを検出し、その後、再び予め設定された領域を閉じて施錠するために自動車へ信号を送る。その信号は、同時に、カメラ（第１カメラと第２カメラを含む）を停止する指令を含む。遠隔端末が変化の各段階を認識できるよう、予め設定された領域内の変化は、第２カメラによって変化を検出するための所定の特徴を含んでいる、あるいは、変化から生じるさらなる変化を含んでいる。
【００３４】
特に、予め設定された領域の施錠については、予め設定された領域は、外部からの閉じる操作によって鍵をかけて閉じられる。例えば、予め設定された領域は、影響する物体によって閉じられる。遠隔端末は、カメラまたは自動車から返信された信号によって予め設定された領域が鍵をかけて閉じられたことを確認してもよい。
【００３５】
本発明の上述したステップの実行プロセスは、具体的には下に説明される。
自動車は、受取人によって指定された受取場所として使用される。自動車が受取人によって携帯電話（遠隔端末）から送られたカメラを起動する指示を受けた後に、自動車は、カメラが所定方向（例えば、自動車の後方）、あるいは、自動車の周囲環境をスキャンするよう、当該カメラを起動させる。携帯電話によって受け付けられたカメラの映像情報によって、受取人は、予期された配達人が自動車に到着したかどうかを確認してもよい。自動車は、制御された光又はクラクションによって、現在位置を配達人に知らせてもよい。あるいは、配達人は、自動車のGPS位置情報を得て、それによって自動車を見つけてもよい。
【００３６】
配達人が自動車に到着したことを受取人が確認した後、受取人の携帯電話は自動車に、配達人によって運ばれた品物を受け入れるための予め設定された領域（例えば、トランク）を開く信号を送信する。配達人は、予め設定された領域に品物を置き、その間に、予め設定された領域に配置された第２カメラは、リアルタイムで品物を置くプロセスを記録し、かかる情報を受取人の携帯電話に送信する。携帯電話を用いて、受取人は、品物が置かれ、予め設定された領域が鍵をかけて閉じられたことを確認し、それによって、今回の品物を受け入れるプロセスを終了する。
【００３７】
品物を置くプロセスで、受取人の携帯電話は、受取人の情報が正しいかどうかを判断するために、第２カメラを通じて品物のテキスト情報を取得してもよい。あるいは、包装を開くよう配達人に依頼することによって、品物が正しいことを判断してもよい。
【００３８】
本発明の方法によれば、自動車は遠隔端末から送られた情報によって、対応するアクションが実行されるよう制御される。また、受取人は、配達人によって運ばれた品物の配達を遠隔でモニターする。これによって、品物の配達の成功を保証できると共に、受取人による品物の受け入れのセキュリティが改善される。
【００３９】
図２は、本発明の実施形態における車上配達受取装置の概略構造図である。本発明における車上配達受取装置は、通常、ワイヤレスネットワークを介して遠隔端末１０と通信するよう構成されたネットワーク通信モジュール３０を備えている。また、遠隔端末１０からの第１制御信号に応じて起動するよう構成され、指定領域の映像情報を出力し、当該映像情報を遠隔端末１０に送信するように構成されたカメラ５０を備えている。また、遠隔端末１０からの第２制御信号によって自動車の予め設定された領域を開き、かつ、遠隔端末１０からの第３制御信号により予め設定された領域を閉じて施錠するように構成された車両制御装置４０を備えている。
【００４０】
ネットワーク通信モジュール３０は、遠隔端末１０と受取場所として提供される自動車２０との間のリアルタイム接触を可能としている。ワイヤレスネットワークは、移動通信ネットワークおよび／またはＷＩＦＩネットワークであってもよい。遠隔端末１０は、受取人の携帯電話１１あるいは配達人の携帯電話１２であってもよい。
【００４１】
カメラ５０は、自動車２０に組み込まれ、映像情報を通じて品物引き渡しプロセスを監視するために使用される。受取人の携帯電話１１が配達人の携帯電話１２によって送られたリクエスト信号を受け取ると、第１制御信号が送信される。ネットワーク通信モジュール３０は、遠隔端末１０から信号を受け取ることができるだけではなく、遠隔端末１０にカメラ５０の映像情報を送ることもできる。
【００４２】
異なるたくさんの品物を都合よくたくさん置くために、自動車の予め設定された領域は自動車２０のトランクであってもよく、自動車２０の座席領域や、品物を受け取るために特別に自動車２０に設定された特定領域であってもよい。特定領域は、トランク内の互いに分離された第１領域と第２領域とから構成されていてもよい。そして、第１領域は自動車の室内に近接しており、第２領域は自動車の後部に近接している。自動車２０のトランク全体は、品物を受け取るための予め設定された領域として使用されることが望ましい。
【００４３】
異なる段階における品物の引き渡しプロセスを監視するために、カメラ５０は、配達人を識別のために使用される第１カメラ５１と、予め設定された領域に配置され品物を識別するために使用された第２カメラ５２と、を備えていてもよい。第１カメラ５１は、配達人の接近を時間内に検出するためにより広い視界を有するよう自動車２０の位置に配置される。第２カメラ５２は、配達人が予め設定された領域に品物を置くプロセスを記録するように、受け入れられる品物を置くための予め設定された領域内に組み込まれる。
【００４４】
車両制御装置４０は、品物引き渡しプロセスを制御するためだけに使用される。したがって、本発明の受取装置は、自動車制御システムから分離した独立した装置として使用されてもよい。第１カメラ５１によって出力された映像情報が配達人を識別することができる情報を含んでいた後に、第２制御信号が受取人の携帯電話１１によって送信される。第２カメラ５２によって出力された映像情報が、品物が予め設定された領域に置かれたことを示す情報を含んでいた後には、第３制御信号が受取人の携帯電話１１によって送信される。
【００４５】
本発明の受取装置の作動プロセスの具体例を、以下に説明する。
配達人の携帯電話１２が受取人の携帯電話１１と連絡をとった後、受取人の携帯電話１１は、品物を受け入れる自動車２０の位置を示す情報を配達人の携帯電話１２に提供する。受取人の携帯電話１１は、自動車２０のネットワーク通信モジュール３０に、自動車２０において第１カメラ５１を起動する情報を送信する。車両制御装置４０は、指示に応じて第１カメラ５１を起動し、自動車２０の周囲を記録し、その間、記録された映像情報をリアルタイムにネットワーク通信モジュール３０を介して受取人の携帯電話１１に送信する。
【００４６】
受取人が携帯電話１１の映像情報によって、配達人が自動車２０に到着したこと判断した場合、受取人の携帯電話１１は、自動車のトランク（自動車内の他の領域でもよい）を開く指示を、自動車２０のネットワーク通信モジュール３０に送信する。そして、車両制御装置４０は、指示により自動車のトランクを開き、トランクを開くと同時に、トランクに搭載された第２カメラ５２を起動する。そして、配達人は、トランク内に品物を入れた後、トランクを閉じる。
【００４７】
第２カメラ５２は、品物を置くプロセスを記録し、車両制御装置４０は記録された映像情報を、ネットワーク通信モジュール３０を介して受取人の携帯電話１１に送信する。品物がトランク内に入れられ、トランクが閉じられ施錠されたことを第２カメラ５２の映像情報が示す場合、受取人の携帯電話１１は、品物が受け入れられたことを示す署名情報を、配達人の携帯電話１２に送信する。
【００４８】
図３は、本発明の一実施形態における車上配達受取システムの概略構成図を示す。
車上配達受取システムは、通常、
遠隔端末１０から第１制御信号を受信し、指定領域２１に向くカメラ５０を起動するよう構成された映像起動モジュール６０と、
遠隔端末１０に指定領域２１の映像情報を送信するよう構成された映像送信モジュール７０と、
遠隔端末１０から第２制御信号を受信して、自動車の予め設定された領域２２を開くよう構成された領域オープンモジュール８０と、
遠隔端末１０から第３制御信号を受信して、予め設定された領域２２を閉じて施錠するように構成された領域ロックモジュール９０と、
を備える。
【００４９】
上記受取システムの作動プロセスは、上述した実施形態で記載された受取方法および受取装置の作動プロセスと一致しているため、ここでは繰り返し説明はしない。
【００５０】
以上、本発明の複数の実施形態を例示的かつ詳細に説明したが、本発明の原理と一致する他の変形または変更が、本発明の精神および範囲を逸脱することなく、本発明から直接的に決定される、または派生されることは、当業者に認識されるであろう。したがって、本発明の範囲は他のあらゆる変形または変更を含むと理解され、認識される。
【図１】
0006342523.tif 000002
【図２】
0006342523.tif 000003
【図３】
0006342523.tif 000004